(57)【要約】販売すべきパッケージ製品の真正性を認証するための認証装置は，製品を使用又は消費に際して通過させ得る通路を設けた容器内に配置され，該通路の開口を許容するために開封させるシール（16）を備える。認証装置は，製品の真正性を認証するための認証要素（19）が，外部から視認できず，かつ，シールの開封後にのみアクセスできるシールの部位に配置されている。好適には，製品の真正性を認証するための認証要素（19）が所定のアルゴリズムに基づいて生成される固有コードよりなり，製品の容器がボトルであり，対応するシールはボトルのネック部及び対応するキャップを被覆する。【選択図】図６
2016540262.tif 000002
【特許請求の範囲】
【請求項１】
販売すべきパッケージ製品の真正性を認証するための装置であって，製品を使用又は消費に際して通過させ得る通路を設けた容器内に配置され，該通路の開口を許容するために開封させるシール（6, 10, 16, 20）を備える認証装置において，製品の真正性を認証するための認証要素（7, 15, 19, 23）が，外部から視認できず，かつ，シールの開封後にのみアクセスできるシールの部位に配置されていることを特徴とする認証装置。
【請求項２】
請求項１に記載の認証装置であって，製品の真正性を認証するための認証要素（7, 15, 19, 23）が，所定のアルゴリズムに基づいて生成される固有コードよりなることを特徴とする認証装置。
【請求項３】
請求項１又は２に記載の認証装置であって，製品の容器がボトルであり，対応するシールは該ボトルのネック部（9）及び対応するキャップ（13）を被覆することを特徴とする認証装置。
【請求項４】
請求項３に記載の認証装置であって，製品の真正性を認証するための認証要素（15）が，キャップ（13）と対面するカプセル（10）の部位（11）に配置されていることを特徴とする認証装置。
【請求項５】
請求項３に記載の認証装置であって，製品の真正性を認証するための認証要素（19）が，ネック部（9）に対面するカプセル（16）の環状内面（16a）に配置されていることを特徴とする認証装置。
【請求項６】
請求項３に記載の認証装置であって，製品の真正性を認証するための認証要素（23）が，カプセル（20）における容易に開口可能な領域（21）の内面に配置されていることを特徴とする認証装置。
【請求項７】
請求項１〜６の何れか一項に記載の認証装置であって，少なくとも２つの認証要素が，それぞれ外部から視認できない領域に配置されていることを特徴とする認証装置。
【発明の詳細な説明】
【技術分野】
【０００１】
本発明は，販売すべきパッケージ製品の真正性を認証するための認証装置に関し，特に，製品を使用又は消費に際して通過させ得る通路を設けた容器内に配置され，該通路の開口を許容するために開封させるシールを備える認証装置に関する。
【背景技術】
【０００２】
現行方法によれば，容器又はより一般的には製品パッケージに，コード（例えば，バーコード又は二次元コード）よりなる真正性の検知特定手段が設けられ，そのコードを読み取って製品，製造業者名及びその他の製品情報，例えば製品が食品である場合には消費期限を特定可能としている。
【０００３】
従来技術によれば，コードよりなる特定手段は，通常，特別な読み取り装置で読み取り・検出できる容器上又はパッケージ上の部位に配置されており，特定された情報に基づいて販売業者の倉庫内における移動を制御し，あるいは領収書又はインボイスを発行することを意図している。
【０００４】
しかしながら，容器又はパッケージ上の視認性を考慮すれば，コードよりなる特定手段が複製され，偽造製品や，真正品に対応しない製品を収めた容器又はパッケージ上に不正配置される場合がある。
【発明の概要】
【発明が解決しようとする課題】
【０００５】
従って，容器上又はパッケージ上における視認可能な部位に配置された，従来技術に係るコード化された特定手段は，読み取ったとしても，購入する製品の実際の真正性，換言すれば，製品と，製品の容器又は包装上に表示された名称や出所との整合性を保証することができない。本発明は，製品の真正性確認に関する上でのこのような問題点の解決策を提案し，従来技術の欠点を解消することを目的としている。
【課題を解決するための手段】
【０００６】
この目的は，請求項１に記載した，製品の真正性を認証するための装置により達成されるものである。
【図面の簡単な説明】
【０００７】
【図１】図１は，開口部上のシールが閉鎖位置にある状態で，本発明に係る認証要素がシールの背面上に配置されているボックス状パッケージの斜視図である。
【図２】図２は，シールが開封した開放位置にある状態で図１のパッケージを示す斜視図である。
【図３】図３は，シールとしてのカバーカプセルが閉鎖位置にある状態で，発明に係る認証要素が，閉鎖キャップの視認可能な端部に対面するカプセル内面上に配置されているボトルネック部の開口端部を示す斜視図である。
【図４】図４は，カプセルがボトルの閉鎖キャップにおいて開放位置にある状態で図３のボトルを示す斜視図である。
【図５】図５は，シールとしてのカバーカプセルが閉鎖位置にある状態で，シールを容易に開封させるための開封手段が設けられ，認証要素がカプセルにおける管状部の背面側に配置されているボトルネック部の開口端部を示す斜視図である。
【図６】図６は，シールとしてのカプセルが開放位置にある状態のボトルを示す，図５と同様な斜視図である。
【図７】図７は，シールとしてのカバーカプセルが閉鎖位置にある状態で，シールを容易に開封させるための開封手段が設けられ，認証要素が，カプセルを開放するためのタブの背面側に配置されているボトルネック部の開口端部を示す斜視図である。
【図８】図８は，図７に示すカプセルを開封させて認証要素を露出させる操作を示す斜視図である。
【図９】図９は，図８に示す認証要素の読み取り操作を示す斜視図である。
【図１０】図１０は，シールとしてのカバーカプセルが閉鎖位置にある状態で，シールを容易に開封させるための開封手段が設けられ，認証要素がカプセルにおける開放タブの背面側に配置されているボトルネック部の開口端部を示す斜視図である。
【発明を実施するための形態】
【０００８】
以下，添付図面に示す非限定的な種々の実施形態について本発明を更に詳述する。
【０００９】
図面を参照すれば，図１及び図２は，一般的な従来のボックス状のパッケージ１を示している。パッケージ１は，容器として機能する部分２と，カバーとして機能する部分３とを有する。カバー３は，パッケージ１に収められる製品（図示せず）を容器内に装入するため，又は製品を容器から取り出すために，開口部４を開閉可能とするものである。
【００１０】
パッケージの外壁には，外部から視認可能な部位において，例えば販売や領収書の発行に際して通常の製品特定操作で読み取り可能な通常のバーコード５又は二次元コードを配置することができる。
【００１１】
パッケージには，通常の方法でカバー３と容器２との間に固定されたシール６も設けられている。シール６は，開口部４を閉鎖状態に維持し，かつ，パッケージの健全性を保証する機能を有する。
【００１２】
本発明によれば，シール６には，パッケージに対面する内面部７において，従ってシールが健全状態でパッケージに配置されている場合に，外部からアクセスも視認もできない部分において，製品の認証要素８が設けられている。
【００１３】
このような製品の認証要素８は，特別なアルゴリズムで生成された固有の認証コードよりなり，シールの内面７上にバーコード又は二次元コードとして印刷されるものである。
【００１４】
代替的に，固有の認証コードは，シールの内面部７に例えば接着により固定された記録媒体としてのＲＦＩＤチップに記録しておくことができる。
【００１５】
認証要素８は，シールを開封し，かつ，認証要素を配置したシール部分を図２に示すように持ち上げた後に初めてアクセス可能となるものである。
【００１６】
本発明の範囲内において，「容器」との用語は，自由に利用可能な製品や，購入者による使用又は消費のために販売される製品を収める一般的なボックスを指すため，更には，例えば，ワイン，リカー，飲食用又は非飲食用である他の任意の液体製品を充填するボトルを指すために使用されている。
【００１７】
図３及び図４を参照すれば，特に精製飲料を収めるボトルを対象とする第１実施形態において，ネック部９は，シールとして作用するカプセル10によりカバーされている。カプセル10は，ネック部９の開口端12上に延在し，かつ，通常のキャップ13により閉鎖された閉鎖部11と，ネック部９の外周上で軸線方向に延在する少なくとも１つの管状部14とを備える。
【００１８】
カバーカプセル10は，既知の態様をもって，ポリ塩化ビニール（PVC），ポリラミネート，スズ，アルミニウム又はポリエチレンテレフタレート（PET）から構成することができる。カバーカプセル10は，ボトルのネック部９上に配置した後にネック部９に接着することにより，キャップをカバーすると共にシール機能を発現する。本発明の一実施形態において，カプセル10には，図３及び図４に示すように，キャップ13に対面する閉鎖部11の内面上に認証要素15が設けられている。
【００１９】
ボトルを開ける場合，キャップ13の引き抜きに先立ち，カプセル10の閉鎖部11を周方向に切開し，カプセル10の管状部14から少なくとも部分的に取り外すと，認証要素15に対するアクセス及び視認が可能となり，認証要素15が読み取り可能となる。
【００２０】
図５及び図６を参照すれば，他の実施形態において，カプセル16には開封を容易とするタブを構成する軸線方向領域17が設けられており，このタブは手で把持してカプセル16を除去可能とする端部18を有する。
【００２１】
図６に示すように，カプセル16をボトルのネック部9上に配置した状態では外部から視認できない内側管状面16aに認証要素19が配置されている。従って，認証要素19は，ボトルのシールを構成するカプセルを開封した後に初めて読み取り可能となるものである。
【００２２】
図７，図８及び図１０は，更に他の実施形態に係るカプセルを示す。
【００２３】
ボトルのネック部９上に配置されたカプセル20には，開放を容易とするために手で把持して引き裂くことのできるタブを構成する領域21が設けられている。タブ21は，ボトルのネック部に対して平行に配置し，又は，図１０に示すように円周方向位置に配置することができる。
【００２４】
本発明によれば，タブ22の内面には，外部から視認できない認証要素23が設けられている。従って，認証要素23は，カプセルの開封後に，即ちカプセルのボトルに対するシールを開いた後に，初めて読み取り可能となるものである。代替的に，認証要素23はカプセル領域20の内面上に配置することもできる。
【００２５】
更なる代替案として，認証要素23をタブ22上及びカプセル領域20内の２箇所に配置することができる。この場合，２つの認証要素のうちの一方が損傷し，又は読み取り不能である場合にも他方から情報の読み取りが可能である。
【００２６】
本実施形態に係る認証要素23や，前述した実施例に係る認証要素7, 15, 19は，図９に例示するように，記録された情報をモバイルフォンで読み取り，リモートサーバに送信することができる。ただし，固有コードよりなる認証要素を読み取るためのプログラムを，モバイルフォンにインストールしておく必要のあることは，言うまでもない。
【００２７】
本発明が，特許請求の範囲に記載した発明の技術的範囲を逸脱することなく，互いに均等である各種の変更，特にシールの形状や構造，並びにシールに対する認証要素の位置についての変更が可能であることは，言うまでもない。
【図１】
2016540262.tif 000003
【図２】
2016540262.tif 000004
【図３】
2016540262.tif 000005
【図４】
2016540262.tif 000006
【図５】
2016540262.tif 000007
【図６】
2016540262.tif 000008
【図７】
2016540262.tif 000009
【図８】
2016540262.tif 000010
【図９】
2016540262.tif 000011
【図１０】
2016540262.tif 000012
【国際調査報告】
2016540262.tif 000013
2016540262.tif 000014
2016540262.tif 000015